(57)【要約】【課題】  消火活動時に於いて、消防用ホースを引きずったときや消防用ホース同士の連結作業時に消防用ホースの結合金具側を踏んだときに、消防用ホースのホース本体と結合金具との連結部分を保護できると共に、消防用ホースを掴む際に滑り難くして迅速な消火活動を行えるようにする。【解決手段】  ホース本体１の両端部と雌型及び雄型の結合金具２，３の竹の子状に形成したホース結合筒部７ａ，１４ａとをそれぞれ筒状の保護布４を介して金属製のかしめ用リング５により結合し、当該かしめ用リング５の外周面を保護具６で保護するようにした消防用ホースであって、前記保護具６が、少なくともかしめ用リング５の外周面に着けた合成樹脂製の筒状の滑り止めグリップ６Ａから成る。【選択図】      図１
0003165531.tif 000002
【実用新案登録請求の範囲】
【請求項１】
ホース本体（１）の両端部と雌型及び雄型の結合金具（２），（３）の竹の子状に形成したホース結合筒部（７ａ），（１４ａ）とをそれぞれ筒状の保護布（４）を介して金属製のかしめ用リング（５）により結合し、当該かしめ用リング（５）の外周面を保護具（６）で保護するようにした消防用ホースであって、前記保護具（６）が、かしめ用リング（５）の外周面に着けた合成樹脂製の筒状の滑り止めグリップ（６Ａ）から成ることを特徴とする消防用ホース。
【請求項２】
ホース本体（１）の両端部と雌型及び雄型の結合金具（２），（３）の竹の子状に形成したホース結合筒部（７ａ），（１４ａ）とをそれぞれ筒状の保護布（４）を介して金属製のかしめ用リング（５）により結合し、当該かしめ用リング（５）の外周面を保護具（６）で保護するようにした消防用ホースであって、前記保護具（６）が、かしめ用リング（５）の外周面に着けた合成樹脂製の筒状の滑り止めグリップ（６Ａ）と、滑り止めグリップ６Ａのホース本体（１）寄りの端部外周面に着けた金属製のリング（６Ｂ）とから成ることを特徴とする消防用ホース。
【請求項３】
滑り止めグリップ（６Ａ）が、筒状に形成したベース層とベース層の内周面に形成した接着剤層とから成り、接着剤層にホットメルト接着剤を使用したことを特徴とする請求項１又は請求項２に記載の消防用ホース。
【請求項４】
滑り止めグリップ（６Ａ）の外周面に環状の凹部（６ａ）又は凸部を並列状に形成したことを特徴とする請求項１、請求項２又は請求項３に記載の消防用ホース。
【請求項５】
ホース本体（１）の両端部と雌型及び雄型の結合金具（２），（３）の竹の子状に形成したホース結合筒部（７ａ），（１４ａ）とをそれぞれ筒状の保護布（４）を介して金属製のかしめ用リング（５）により結合し、当該かしめ用リング（５）の外周面を保護具（６）で保護するようにした消防用ホースであって、前記保護具（６）が、かしめ用リング（５）の外周面に合成繊維製の糸を密集状態で巻き付け、その糸を接着剤で固化して形成した筒状の保護層（６Ｃ）から成ることを特徴とする消防用ホース。
【請求項６】
ホース本体（１）の両端部と雌型及び雄型の結合金具（２），（３）の竹の子状に形成したホース結合筒部（７ａ），（１４ａ）とをそれぞれ筒状の保護布（４）を介して金属製のかしめ用リング（５）により結合し、当該かしめ用リング（５）の外周面を保護具（６）で保護するようにした消防用ホースであって、前記保護具（６）が、かしめ用リング（５）の外周面に合成繊維製の糸を密集状態で巻き付け、その糸を接着剤で固化して形成した筒状の保護層（６Ｃ）と、保護層（６Ｃ）のホース本体（１）寄りの端部外周面に着けた金属製のリング（６Ｂ）とから成ることを特徴とする消防用ホース。
【請求項７】
合成繊維製の糸を原着糸としたことを特徴とする請求項５又は請求項６に記載の消防用ホース。
【考案の詳細な説明】
【技術分野】
【０００１】
本考案は、消火活動に使用される消防用ホースの改良に係り、特に、消火活動時に於いて、消防用ホースを引きずったときや消防用ホース同士の連結作業時に消防用ホースの結合金具側を足で踏んだときに、消防用ホースのホース本体と結合金具との連結部分を保護できると共に、消防用ホースを掴む際に滑り難くして迅速な消火活動を行えるようにした消防用ホースに関するものである。
【背景技術】
【０００２】
一般に、消防用ホースは、長尺状のホース本体の両端部に雌型の結合金具及び雄型の結合金具をそれぞれ結合して成り、不使用時にはホース本体が偏平状に折り畳まれてロール状に巻き取った状態で保管、収納されている。
【０００３】
そして、火災現場に於いては、消防隊員がロール状に巻き取った状態の複数の消防用ホースを担いで所要の個所に運び、そこで各消防用ホースを真っ直ぐに引き伸ばした後、各消防用ホース同士を雌型の結合金具及び雄型の結合金具により連結して使用している。
【０００４】
図５は従来の消防用ホースの一例を示すものであり、当該消防用ホースは、長尺状のホース本体１０と、ホース本体１０の一端部に結合した雌型の結合金具１１（受け金具）と、ホース本体１０の他端部に結合され、前記雌型の結合金具１１に着脱自在に連結される雄型の結合金具１２（差し金具）とから構成されている（例えば、特許文献１の図１参照）。
【０００５】
また、雌型の結合金具１１及び雄型の結合金具１２は、外周面が竹の子状に形成されたホース結合筒部１１ａ，１２ａを備えており、各ホース結合筒部１１ａ，１２ａをホース本体１０の両端部にそれぞれ挿入し、ホース本体１０の両端部外周面に筒状の保護布１３及び筒状の金属製のかしめ用リング１４を順次嵌合し、前記かしめ用リング１４をかしめ機でかしめることによって、ホース本体１０の両端部に取り付けられている。
【０００６】
ところで、火災現場に於いては、引き伸ばした複数本の消防用ホース同士を雌型の結合金具１１及び雄型の結合金具１２により連結する際、消防用ホース同士の連結を迅速に行えるように、例えば、地面に置いた消防用ホースの保護布１３部の雄型の結合金具１２側を足で踏みつけて雄型の結合金具１２を斜め上向きにし、その雄型の結合金具１２に雌型の結合金具１１を差し込むことによって、雌型の結合金具１１と雄型の結合金具１２との連結が行われている。
【０００７】
しかし、消防隊員が消防用ホースを足で踏みつけたときに、かしめ用リング１４の末端部と保護布１３が損傷したり、或いは損傷したかしめ用リング１４により更に保護布１３やホース本体１０を損傷させるということがあった。
また、消火作業時には、消防隊員が消防用ホースを引きずりながら消火作業を行うため、かしめ用リング１４と保護布が損傷したり、或いは損傷したかしめ用リング１４により更に保護布１３を損傷させるということがあった。
【０００８】
その結果、これらが原因となって消防用ホースの使用ができなくなることがあり、迅速な消火作業の妨げになることがあった。
尚、ホース本体１０の損傷を防止するため、ホース本体１０の端部外周面に筒状の保護布１３を嵌合していても、その効果は必ずしも十分とはいえなかった。
【先行技術文献】
【特許文献】
【０００９】
【特許文献１】特開２００７−１８７２７１号公報
【考案の概要】
【考案が解決しようとする課題】
【００１０】
本考案は、このような問題点に鑑みて為されたものであり、その目的は、消火活動時に於いて、消防用ホースを引きずったときや消防用ホース同士の連結作業時に消防用ホースの結合金具側を足で踏んだときに、消防用ホースのホース本体と結合金具（雄型の結合金具及び雌型の結合金具）との連結部分を保護できると共に、消防用ホースを掴む際に滑り難くして迅速な消火活動を行えるようにした消防用ホースを提供することにある。
【課題を解決するための手段】
【００１１】
上記目的を達成するために、本考案の請求項１の考案は、ホース本体の両端部と雌型及び雄型の結合金具の竹の子状に形成したホース結合筒部とをそれぞれ筒状の保護布を介して金属製のかしめ用リングにより結合し、当該かしめ用リングの外周面を保護具で保護するようにした消防用ホースであって、前記保護具が、かしめ用リングの外周面に着けた合成樹脂製の筒状の滑り止めグリップから成ることに特徴がある。
【００１２】
本考案の請求項２の考案は、ホース本体の両端部と雌型及び雄型の結合金具の竹の子状に形成したホース結合筒部とをそれぞれ筒状の保護布を介して金属製のかしめ用リングにより結合し、当該かしめ用リングの外周面を保護具で保護するようにした消防用ホースであって、前記保護具が、かしめ用リングの外周面に着けた合成樹脂製の筒状の滑り止めグリップと、滑り止めグリップのホース本体寄りの端部外周面に着けた金属製のリングとから成ることに特徴がある。
【００１３】
本考案の請求項３の考案は、請求項１又は請求項２に記載の考案に於いて、滑り止めグリップが、筒状に形成したベース層とベース層の内周面に形成した接着剤層とから成り、接着剤層にホットメルト接着剤を使用したことに特徴がある。
【００１４】
本考案の請求項４の考案は、請求項１、請求項２又は請求項３に記載の考案に於いて、滑り止めグリップの外周面に環状の凹部又は凸部を並列状に形成したことに特徴がある。
【００１５】
本考案の請求項５の考案は、ホース本体の両端部と雌型及び雄型の結合金具の竹の子状に形成したホース結合筒部とをそれぞれ筒状の保護布を介して金属製のかしめ用リングにより結合し、当該かしめ用リングの外周面を保護具で保護するようにした消防用ホースであって、前記保護具が、かしめ用リングの外周面に合成繊維製の糸を密集状態で巻き付け、その糸を接着剤で固化して形成した筒状の保護層から成ることに特徴がある。
【００１６】
本考案の請求項６の考案は、ホース本体の両端部と雌型及び雄型の結合金具の竹の子状に形成したホース結合筒部とをそれぞれ筒状の保護布を介して金属製のかしめ用リングにより結合し、当該かしめ用リングの外周面を保護具で保護するようにした消防用ホースであって、前記保護具が、かしめ用リングの外周面に合成繊維製の糸を密集状態で巻き付け、その糸を接着剤で固化して形成した筒状の保護層と、保護層のホース本体寄りの端部外周面に着けた金属製のリングとから成ることに特徴がある。
【００１７】
本考案の請求項７の考案は、請求項５又は請求項６に記載の考案に於いて、合成繊維製の糸を原着糸としたことに特徴がある。
【考案の効果】
【００１８】
本考案の請求項１に係る消防用ホースは、ホース本体と雌型及び雄型の結合金具とを結合するかしめ用リングの外周面に合成樹脂製の滑り止めグリップから成る保護具を着けているため、消火活動時に於いて、消防隊員が消防用ホースを引きずっても、かしめ用リングが滑り止めグリップにより保護されているので、かしめ用リングの損傷とかしめ用リングの損傷による保護布の損傷を抑制することができる。
また、本考案の請求項１に係る消防用ホースは、消火活動時に於いて、消防用ホース同士の連結作業時に地面に置いた消防用ホースの保護布部の結合金具側を足で踏んで結合金具の向きを変えても、かしめ用リングが滑り止めグリップにより保護されているので、かしめ用リングの末端部と保護布の損傷を抑制することができる。
更に、本考案の請求項１に係る消防用ホースは、かしめ用リングの外周面に合成樹脂製の滑り止めグリップから成る保護具を着けているため、消火活動時に於いて、従来のかしめ用リングのみの消防用ホースよりも消防用ホースを掴む際に滑り難くなり、迅速な消火活動を行える。
【００１９】
本考案の請求項２〜請求項４に係る消防用ホースは、上記効果に加えて更に次のような優れた効果を奏することができる。
即ち、本考案の請求項２に係る消防用ホースは、かしめ用リングの外周面に着けた保護具が滑り止めグリップ及び金属製のリングから成り、滑り止めグリップのホース本体寄りの端部外周面に金属製のリングを着けているため、消防用ホースを引きずったときに、かしめ用リングの損傷をより一層抑制することができるうえ、消防用ホース同士の連結作業時に消防用ホースの保護布部の結合金具側を足で踏みつけたときに、金属製のリングが支点となって結合金具が斜め上向きの姿勢となるので、かしめ用リングの末端部と保護布の損傷をより一層抑制することができる。
【００２０】
本考案の請求項３に係る消防用ホースは、滑り止めグリップが、筒状に形成したベース層とベース層の内周面に形成した接着剤層とから成り、接着剤層にホットメルト接着剤を使用しているため、かしめ用リングの外周面に滑り止めグリップを簡単且つ容易に着けることができる。
【００２１】
本考案の請求項４に係る消防用ホースは、滑り止めグリップの外周面に環状の凹部又は凸部を並列状に形成しているため、消防隊員が消防用ホースを掴んだときに、より一層滑り難くなって消火作業をより迅速に行える。
【００２２】
本考案の請求項５に係る消防用ホースは、かしめ用リングの外周面に着けた保護具が、かしめ用リングの外周面に合成繊維製の糸を密集状態で巻き付け、その糸を接着剤で固化して形成した筒状の保護層から成るため、請求項１に係る消防用ホースと同じ作用効果を奏することができる。
【００２３】
本考案の請求項６に係る消防用ホースは、かしめ用リングの外周面に着けた保護具が、合成繊維製の糸及び接着剤から形成した筒状の保護層と、筒状の保護層のホース本体寄りの端部外周面に着けた金属製のリングとから成るため、消防用ホースを引きずったときに、かしめ用リングの損傷をより一層抑制することができるうえ、消防用ホース同士の連結作業時に保護布部の結合金具側を足で踏みつけたときに、金属製のリングが支点となって結合金具が斜め上向きの姿勢となるので、かしめ用リングの末端部と保護布の損傷をより一層抑制することができる。
【００２４】
本考案の請求項７に係る消防用ホースは、保護層を形成する合成繊維製の糸に原着糸を使用しているため、例えば、消火活動を終了した後、消防用ホースを撤収する際に錯綜した多数の消防用ホースを簡単且つ容易に識別することができ、至極便利である。また、消防用ホースを色により識別する場合でも、消防用ホースに新たに色付けをする必要もない。
【図面の簡単な説明】
【００２５】
【図１】本考案の第１の実施形態に係る消防用ホースを示し、消防用ホースのホース本体と雌型及び雄型の結合金具の結合部分を示す一部省略破断正面図である。
【図２】本考案の第２の実施形態に係る消防用ホースを示し、消防用ホースのホース本体と雌型及び雄型の結合金具の結合部分を示す一部省略破断正面図である。
【図３】本考案の第３の実施形態に係る消防用ホースを示し、消防用ホースのホース本体と雌型及び雄型の結合金具の結合部分を示す一部省略破断正面図である。
【図４】本考案の第４の実施形態に係る消防用ホースを示し、消防用ホースのホース本体と雌型及び雄型の結合金具の結合部分を示す一部省略破断正面図である。
【図５】従来の消防用ホースの一部省略破断正面図である。
【考案を実施するための形態】
【００２６】
以下、本考案の実施形態を図面に基づいて詳細に説明する。
図１は本考案の第１の実施形態に係る消防用ホースを示し、当該消防用ホースは、長尺状のホース本体１と、ホース本体１の一端部に結合される雌型の結合金具２と、ホース本体１の他端部に結合されて前記雌型の結合金具２に着脱自在に連結される雄型の結合金具３と、ホース本体１の両端部外周面に被せた筒状の保護布４と、ホース本体１の両端部に雌型及び雄型の結合金具２，３をそれぞれ結合するための金属製のかしめ用リング５と、かしめ用リング５の外周面を保護する保護具６とから構成されている。
【００２７】
前記ホース本体１は、合成繊維製のたて糸と合成繊維製のよこ糸とを筒状に織成したジャケットの内周面に、合成樹脂製又はゴム製のライニング層を形成したものであり、不使用時には偏平状に折り畳まれてロール状に巻き取られている。
【００２８】
また、前記雌型の結合金具２は、ホース本体１の一端部に挿入される外周面が竹の子状に形成されたホース結合筒部７ａ及びホース結合筒部７ａに連設されてホース結合筒部７ａよりも大径に形成された筒状の受け口部７ｂを備えた受け金具７と、受け金具７の受け口部７ｂの外周面に螺着された筒状の締め輪８と、締め輪８内に嵌合された環状の爪座９と、爪座９に等角度ごとに配設されて爪座９の内方へ突出可能な円弧状の複数の爪１０と、締め輪８と爪１０との間に介設されて各爪１０を内方へ附勢する板バネ１１と、受け金具７内に装着されたシール用のパッキン１２と、締め輪８の外周面に嵌合されたリング状の保護タイヤ１３とから成り、従来公知のものと同様構造に構成されている。
【００２９】
更に、前記雄型の結合金具３は、ホース本体１の他端部に挿入される外周面が竹の子状に形成されたホース結合筒部１４ａ及びホース結合筒部１４ａに連設されて先端部外周面に雌型の結合金具２の爪１０に係止される環状の係止突状１４ｂを形成した筒状の差込み部１４ｃを備えた差込み金具１４と、差込み部１４ｃに軸線方向へスライド自在に外嵌されて差込み金具１４の係止突条１４ｂと雌型の結合金具２の爪１０との係合を外す筒状の押し輪１５とから成り、従来公知のものと同様構造に構成されている。
【００３０】
そして、前記保護布４は、合成繊維製のたて糸と合成繊維製のよこ糸とを筒状に織成したものであり、ホース本体１の両端部外周面に被せられてホース本体１の両端部を保護するものである。この保護布４には、ホース本体１のジャケットと同じものが使用されている。
【００３１】
前記かしめ用リング５は、アルミ材により筒状に形成されており、ホース本体１の両端部と雌型の結合金具２及び雄型の結合金具３のホース結合筒部７ａ，１４ａとをそれぞれ保護布４を介して結合するものである。
即ち、かしめ用リング５を用いてホース本体１と雌型の結合金具２及び雄型の結合金具３とを結合する場合、ホース本体１の両端部を雌型の結合金具２及び雄型の結合金具３のホース結合筒部７ａ，１４ａにそれぞれ被せ、更にホース本体１の両端部外周面に保護布４を被せ、更にその上からかしめ用リング５を嵌合してそのかしめ用リング５をかしめ機（図示省略）でかしめることによって、ホース本体１と各結合金具２，３との結合が行われている。
【００３２】
前記保護具６は、熱可塑性合成樹脂材により筒状に形成された滑り止めグリップ６Ａから成り、かしめ用リング５の外周面に着けられてかしめ用リング５と保護布４の損傷を抑制すると共に、消防用ホースを掴んだときに滑り難くするものである。
【００３３】
具体的には、滑り止めグリップ６Ａは、熱可塑性合成樹脂材（例えば、熱可塑性ポリウレタン樹脂）により筒状に形成したベース層とベース層の内周面に形成したホットメルト接着剤から成る接着剤層とから二層構造に構成されており、滑り止めグリップ６Ａをかしめ用リング５の外周面に被せた後、滑り止めグリップ６Ａを加熱圧着機（図示省略）で加熱圧着することによって、かしめ用リング５の外周面に着けられている。
また、滑り止めグリップ６Ａの外周面には、環状の凹部６ａが並列状に形成されている。この環状の凹部６ａは、滑り止めグリップ６Ａをかしめ用リング５の外周面に加熱圧着により着けるときに、一緒に形成されている。
【００３４】
尚、この実施形態に於いては、滑り止めグリップ６Ａの外周面に環状の凹部６ａを並列状に形成したが、他の実施形態に於いては、滑り止めグリップ６Ａの外周面に環状の凹部６ａに替えて環状の凸部（図示省略）を並列状に形成するようにしても良い。
【００３５】
而して、上述した消防用ホースに於いては、ホース本体１と雌型及び雄型の結合金具２，３とを結合するかしめ用リング５の外周面に合成樹脂製の滑り止めグリップ６Ａから成る保護具６を着けているため、消火活動時に於いて、消防隊員が消防用ホースを引きずっても、かしめ用リング５が滑り止めグリップ６Ａにより保護されているので、かしめ用リング５の損傷を抑制することができる。
また、消火活動時に於いて、消防用ホース同士の連結作業時に地面に置いた消防用ホースの保護布４部の結合金具２又は３側を足で踏んで結合金具２又は３の向きを変えても、かしめ用リング５が滑り止めグリップ６Ａにより保護されているので、かしめ用リング５の末端部と保護布４の損傷を抑制することができる。
【００３６】
その結果、この消防用ホースは、消防用ホースを引きずったときや消防用ホース同士の連結作業時に結合金具２又は３側を足で踏みつけても、かしめ用リング５の末端部と保護布４の損傷を抑制することができる。
更に、この消防用ホースは、かしめ用リング５の外周面に合成樹脂製の滑り止めグリップ６Ａから成る保護具６を着けているため、消火活動時に於いて、従来のかしめ用リングのみの消防用ホース（図５に示す消防用ホース）よりも消防用ホースを掴む際に滑り難くなり、迅速な消火活動を行える。然も、滑り止めグリップ６Ａの外周面に環状の凹部６ａを並列状に形成しているため、消防用ホースを掴んだ際により一層滑り難くなり、消火作業をより迅速に行える。
【００３７】
図２は本考案の第２の実施形態に係る消防用ホースを示し、当該消防用ホースは、長尺状のホース本体１と、ホース本体１の一端部に結合される雌型の結合金具２と、ホース本体１の他端部に結合されて前記雌型の結合金具２に着脱自在に連結される雄型の結合金具３と、ホース本体１の両端部外周面に被せた筒状の保護布４と、ホース本体１の両端部に雌型及び雄型の結合金具２，３をそれぞれ結合するための金属製のかしめ用リング５と、かしめ用リング５の外周面を保護する保護具６とから構成されており、前記保護具６が、かしめ用リング５の外周面に着けた合成樹脂製の筒状の滑り止めグリップ６Ａと、滑り止めグリップ６Ａのホース本体１寄りの端部外周面に着けた金属製のリング６Ｂとから成るものである。
この消防用ホースに於いては、保護具６以外の部材（ホース本体１、雌型の結合金具２、雄型の結合金具３、保護布４、かしめ用リング５）は、図１に示す消防用ホースと同じ構造及び同じ形状に形成されており、図１に示す消防用ホースと同じ部材・部位には同一の参照番号を付し、その詳細な説明を省略する。
【００３８】
前記保護具６は、熱可塑性合成樹脂材により筒状に形成された滑り止めグリップ６Ａと、滑り止めグリップ６Ａのホース本体１寄りの端部外周面に着けた金属製のリング６Ｂとから成り、かしめ用リング５の外周面に着けられてかしめ用リング５と保護布４の損傷を抑制すると共に、消防用ホースを掴んだときに滑り難くするものである。
【００３９】
具体的には、滑り止めグリップ６Ａは、熱可塑性合成樹脂材（例えば、熱可塑性ポリウレタン樹脂）により筒状に形成したベース層とベース層の内周面に形成したホットメルト接着剤から成る接着剤層とから二層構造に構成されており、滑り止めグリップ６Ａをかしめ用リング５の外周面に被せた後、滑り止めグリップ６Ａを加熱圧着機（図示省略）で加熱圧着することによって、かしめ用リング５の外周面に着けられている。
また、滑り止めグリップ６Ａの外周面には、環状の凹部６ａが並列状に形成されている。この環状の凹部６ａは、滑り止めグリップ６Ａをかしめ用リング５の外周面に加熱圧着により着けるときに、一緒に形成されている。
【００４０】
一方、金属製のリング６Ｂは、アルミ材により環状に形成されており、滑り止めグリップ６Ａのホース本体１寄りの端部外周面に嵌合されてかしめ機（図示省略）でかしめることによって、滑り止めグリップ６Ａの端部外周面に着けられている。
【００４１】
図２に示す消防用ホースは、図１に示す消防用ホースと同様の作用効果を奏することができる。
特に、この消防用ホースは、滑り止めグリップ６Ａのホース本体１寄りの端部外周面に金属製のリング６Ｂを着けているため、消防用ホースを引きずったときに、かしめ用リング５の損傷をより一層抑制することができるうえ、消防用ホース同士の連結作業時に保護布４部の結合金具２又は３側を足で踏みつけたときに、金属製のリング６Ｂが支点となって結合金具２又は３が斜め上向きの姿勢となるので、かしめ用リング５の末端部と保護布４の損傷をより一層抑制することができる。
【００４２】
図３は本考案の第３の実施形態に係る消防用ホースを示し、当該消防用ホースは、長尺状のホース本体１と、ホース本体１の一端部に結合される雌型の結合金具２と、ホース本体１の他端部に結合されて前記雌型の結合金具２に着脱自在に連結される雄型の結合金具３と、ホース本体１の両端部外周面に被せた筒状の保護布４と、ホース本体１の両端部に雌型及び雄型の結合金具２，３をそれぞれ結合するための金属製のかしめ用リング５と、かしめ用リング５の外周面を保護する保護具６とから構成されており、前記保護具６が、かしめ用リング５の外周面に合成繊維製の糸を密集状態で巻き付け、その糸を接着剤で固化して形成した筒状の保護層６Ｃから成るものである。
この消防用ホースに於いては、保護具６以外の部材（ホース本体１、雌型の結合金具２、雄型の結合金具３、保護布４、かしめ用リング５）は、図１に示す消防用ホースと同じ構造及び同じ形状に形成されており、図１に示す消防用ホースと同じ部材・部位には同一の参照番号を付し、その詳細な説明を省略する。
【００４３】
前記保護具６は、かしめ用リング５の外周面に合成繊維製の原着糸（糸の製造段階で顔料で着色した糸）を密集状態で且つ不規則に巻き付け、その原着糸を接着剤で固化して形成した筒状の保護層６Ｃから成り、かしめ用リング５の外周面に着けられてかしめ用リング５と保護布４の損傷を抑制すると共に、消防用ホースを掴んだときに滑り難くし、更に消防用ホースの識別を容易に行えるようにしたものである。
【００４４】
具体的には、前記保護層６Ｃを形成する原着糸には、繊度が３３００ｄｔｅｘ以上で嵩高加工及び撚糸加工が施されたものが使用されている。
また、保護層６Ｃを形成する接着剤には、例えば、合成ゴム系接着剤や樹脂系接着剤等が使用されている。
【００４５】
図３に示す消防用ホースは、図１に示す消防用ホースと同様の作用効果を奏することができる。
特に、この消防用ホースは、保護具６を形成する糸に原着糸を使用しているため、消火活動を終了した後、消防用ホースを撤収する際に錯綜した多数の消防用ホースを簡単且つ容易に識別することができ、至極便利である。また、消防用ホースを色により識別する場合でも、消防用ホースに新たに色付けをする必要もない。更に、原着糸は、繊維自体が着色されているため、鮮やかな色合いが長持ちすることになる。
【００４６】
図４は本考案の第４の実施形態に係る消防用ホースを示し、当該消防用ホースは、長尺状のホース本体１と、ホース本体１の一端部に結合される雌型の結合金具２と、ホース本体１の他端部に結合されて前記雌型の結合金具２に着脱自在に連結される雄型の結合金具３と、ホース本体１の両端部外周面に被せた筒状の保護布４と、ホース本体１の両端部に雌型及び雄型の結合金具２，３をそれぞれ結合するための金属製のかしめ用リング５と、かしめ用リング５の外周面を保護する保護具６とから構成されており、前記保護具６が、かしめ用リング５の外周面に合成繊維製の糸を密集状態で巻き付け、その糸を接着剤で固化して形成した筒状の保護層６Ｃと、筒状の保護層６Ｃのホース本体１寄りの端部外周面に着けた金属製のリング６Ｂとから成るものである。
この消防用ホースに於いては、保護具６以外の部材（ホース本体１、雌型の結合金具２、雄型の結合金具３、保護布４、かしめ用リング５）は、図１に示す消防用ホースと同じ構造及び同じ形状に形成されており、図１に示す消防用ホースと同じ部材・部位には同一の参照番号を付し、その詳細な説明を省略する。
【００４７】
前記保護具６は、かしめ用リング５の外周面に合成繊維製の原着糸を密集状態で且つ不規則に巻き付け、その原着糸を接着剤で固化して形成した筒状の保護層６Ｃと、筒状の保護層６Ｃのホース本体１寄りの端部外周面に着けた金属製のリング６Ｂとから成り、かしめ用リング５の外周面に着けられてかしめ用リング５と保護布４の損傷を抑制すると共に、消防用ホースを掴んだときに滑り難くし、更に消防用ホースの識別を容易に行えるようにしたものである。
【００４８】
具体的には、前記保護層６Ｃを形成する原着糸には、繊度が３３００ｄｔｅｘ以上で嵩高加工及び撚糸加工が施されたものが使用されている。
また、保護層６Ｃを形成する接着剤には、例えば、合成ゴム系接着剤や樹脂系接着剤等が使用されている。
【００４９】
一方、金属製のリング６Ｂは、アルミ材により環状に形成されており、保護層６Ｃのホース本体１寄りの端部外周面に嵌合されてかしめ機（図示省略）でかしめることによって、保護層６Ｃの端部外周面に着けられている。
【００５０】
図４に示す消防用ホースは、図３に示す消防用ホースと同様の作用効果を奏することができる。
特に、この消防用ホースは、保護層６Ｃのホース本体１寄りの端部外周面に金属製のリング６Ｂを着けているため、消防用ホースを引きずったときに、かしめ用リング５の損傷をより一層抑制することができるうえ、消防用ホース同士の連結作業時に保護布４部の結合金具２又は３側を足で踏みつけたときに、金属製のリング６Ｂが支点となって結合金具２又は３が斜め上向きの姿勢となるので、かしめ用リング５の末端部と保護布４の損傷をより一層抑制することができる。
【符号の説明】
【００５１】
１はホース本体、２は雌型の結合金具、３は雄型の結合金具、４は保護布、５はかしめ用リング、６は保護具、６Ａは滑り止めグリップ、６Ｂは金属製のリング、６Ｃは保護層、６ａは凹部、７ａは雌型の結合金具のホース結合筒部、１４ａは雄型の結合金具のホース結合筒部。
【図１】
0003165531.tif 000003
【図２】
0003165531.tif 000004
【図３】
0003165531.tif 000005
【図４】
0003165531.tif 000006
【図５】
0003165531.tif 000007